(57)【要約】【課題】  利用者が会員カード等を携行することなく洗濯物の預け入れやその仕上品の受け取りが可能なクリーニングボックスを提供する。【解決手段】  利用者に対して所定の管理情報を記憶したＩＣタグ１５が付されたバッグ１０を配布しておき、第１のＩＣカードリーダ２２０が該ＩＣタグ１５から管理情報を読み取ると所定の条件で投入口扉２０２を解錠する。バッグ１０が投入され投入口扉２０２の閉鎖を検知すると、投入バッグ１０のＩＣタグ１５から読み取った管理情報の一部又は全部をバーコードで預かり票に印字して利用者に提供する。バーコードリーダ２２３で読み取った管理情報で特定されるバッグが仕上品収納室３０１に収納されている場合には仕上品扉３０２を解錠する。【選択図】  図１
2006212145.tif 000002
【特許請求の範囲】
【請求項１】
利用者の洗濯物が収納された収納袋を収納する洗濯物収納部を備えたクリーニングボックスにおいて、
洗濯物収納部への洗濯物の投入口を開閉する第１の扉と、
第１の扉を施錠する第１の錠と、
洗濯物の管理情報が記憶されたＩＣタグを備えた収納袋が所定位置に近づくと前記ＩＣタグから非接触で管理情報を読み取る第１のＩＣタグリーダ装置と、
第１のＩＣタグリーダ装置でＩＣタグから読み取った管理情報に基づき所定の条件で第１の錠を解錠する第１の制御装置とを備えた
ことを特徴とするクリーニングボックス。
【請求項２】
前記ＩＣタグに記憶された管理情報にはクリーニングボックスが設置されている店舗を識別する店舗識別情報を含み、
前記第１の制御装置は、設置されている店舗の店舗識別情報を記憶した記憶手段を備えるとともに、少なくともＩＣタグから読み取った店舗識別情報と前記記憶手段に記憶されている店舗識別情報が一致した場合に第１の錠を解錠する
ことを特徴とする請求項１記載のクリーニングボックス。
【請求項３】
洗濯物収納部に投入された収納袋のＩＣタグから非接触で管理情報を読み取る第２のＩＣタグリーダ装置と、所定の出力媒体に各種情報を記録して該出力媒体を利用者に提供する出力装置とを備え、
前記第１の制御装置は、第２のＩＣタグリーダ装置でＩＣタグから読み取った管理情報の一部又は全部を前記出力媒体に記録して該出力媒体を利用者に提供する
ことを特徴とする請求項１又は２何れか１項記載のクリーニングボックス。
【請求項４】
前記第１の制御装置は、現在日時を計時する計時手段と、計時手段で計時されている現在日時に基づき仕上がり予定日を算出する仕上予定日算出手段とを備えるとともに、前記出力媒体に仕上予定日を記録する
ことを特徴とする請求項３記載のクリーニングボックス。
【請求項５】
前記ＩＣタグに記憶された管理情報には収納袋を一意に識別する収納袋識別情報を含み、
前記第１の制御装置は、少なくとも第２のＩＣタグリーダ装置でＩＣタグから読み取った収納袋識別情報を出力媒体に記録する
ことを特徴とする請求項３又は４何れか１項記載のクリーニングボックス。
【請求項６】
前記出力装置は前記出力媒体として紙を用いた印刷装置からなり、
前記第１の制御装置は管理情報の一部又は全部をバーコードとして印刷する
ことを特徴とする請求項３乃至５何れか１項記載のクリーニングボックス。
【請求項７】
洗濯済みの仕上品が収納された収納袋を収納する仕上品収納部と、
仕上品収納部を開閉する第２の扉と、
第２の扉を施錠する第２の錠と、
仕上品収納部内に収納されている収納袋のＩＣタグから収納袋識別情報を読み取る第３のＩＣタグリーダ装置と、
前記出力装置で出力した出力媒体から収納袋識別情報を読み取る読取装置と、
前記読取装置で出力媒体から読み取った収納袋識別情報が前記第３のＩＣタグリーダ装置で読み取り可能な場合に前記第２の錠を解錠する第２の制御装置とを備えた
ことを特徴とする請求項５記載のクリーニングボックス。
【請求項８】
洗濯済みの仕上品が収納された収納袋を収納する仕上品収納部と、
仕上品収納部に収納された収納袋を仕上品収納部から搬出する仕上品搬出装置と、
仕上品収納部内に収納されている収納袋のＩＣタグから収納袋識別情報を読み取る第３のＩＣタグリーダ装置と、
前記出力装置で出力した出力媒体から収納袋識別情報を読み取る読取装置と、
前記読取装置で出力媒体から読み取った収納袋識別情報が前記第３のＩＣタグリーダ装置で読み取り可能な場合に該収納袋識別情報に対応する収納袋を搬出するよう仕上品搬出装置を制御する第３の制御装置とを備えた
ことを特徴とする請求項５記載のクリーニングボックス。
【請求項９】
前記読取装置で読み取った収納袋識別情報とは異なる収納袋識別情報を有するＩＣタグの収納袋が仕上品収納部から取り出されると所定の警告を発する警告手段を備えた
ことを特徴とする請求項７又は８何れか１項記載のクリーニングボックス。
【発明の詳細な説明】
【技術分野】
【０００１】
本発明は、例えばコンビニエンスストアにおけるクリーニングサービスなどに用いられ、利用者からの洗濯物を預かるクリーニングボックスに関する。
【背景技術】
【０００２】
一般に、洗濯物の引き受け及び仕上品の引き渡しを人手によって行うクリーニング店を利用する場合には、クリーニング店の営業時間内に来店しなければならないが、利用者の都合上、所定の営業時間内に来店することができず、クリーニング店の利用に不便を来すという問題があった。
【０００３】
そこで、前記問題を解決するために、利用者が任意に洗濯物を投入可能な洗濯物受付機と、洗濯済みの仕上品を収納する複数のロッカーとを備えた店舗装置が提案されている（特許文献１参照）。
【０００４】
この店舗装置では、利用者が店舗の洗濯物受付機に洗濯物を投入すると、洗濯物業者等が洗濯物を回収してクリーニング工場で洗濯した後、洗濯済みの仕上品は無人店舗のロッカーに収納され、利用者は仕上品をロッカーから任意に受け取るようになっている。その際、利用者が所定の会員カードを洗濯物受付機に挿入することにより、カードの識別情報から適正な利用者のカードであることが判別されると、洗濯物受付機又はロッカーの扉を解錠するようにしている。
【特許文献１】特開平７−６５２３１号公報
【発明の開示】
【発明が解決しようとする課題】
【０００５】
しかし、上記店舗装置では、利用者の識別を磁気カード等の会員カード等により行っているので、会員カードの盗難・紛失や磁気異常等が生じた場合には洗濯物を預けたり仕上品を引き取る事ができず、運用時における利便性・柔軟性に欠けるという問題があった。
【０００６】
本発明は、上記事情に鑑みてなされたものであり、その目的とするところは、利用者が会員カード等を携行することなく洗濯物の預け入れやその仕上品の受け取りが可能なクリーニングボックスを提供することにある。
【課題を解決するための手段】
【０００７】
上記目的を達成するために、請求項１では、利用者の洗濯物が収納された収納袋を収納する洗濯物収納部を備えたクリーニングボックスにおいて、洗濯物収納部への洗濯物の投入口を開閉する第１の扉と、第１の扉を解錠する第１の錠と、洗濯物の管理情報が記憶されたＩＣタグを備えた収納袋が所定位置に近づくと前記ＩＣタグから非接触で管理情報を読み取る第１のＩＣタグリーダ装置と、第１のＩＣタグリーダ装置でＩＣタグから読み取った管理情報に基づき所定の条件で第１の錠を解錠する第１の制御装置とを備えたことを特徴とするものを提案する。
【０００８】
本発明に係るクリーニングボックスでは、洗濯物の預け入れや受け取りを所定の収納袋に収納した状態で行うものとする。また、この収納袋には所定の管理情報が記憶されたＩＣチップが付設されているものとする。このような前提において、本発明に係るクリーニングボックスによれば、洗濯物を収納した収納袋がＩＣタグリーダ装置に近づくと、収納袋に付されたＩＣタグから管理情報が読み取り可能となる。そして、第１の制御装置が、ＩＣタグから読み取った管理情報に基づき、所定の条件で、洗濯物収納部を開閉する第１の扉を開放可能に該第１の扉に付設した第１の錠を解錠する。すなわち、利用者は会員カード等を携行することなく所定の収納袋に洗濯物を収納しておけば、洗濯物の預け入れが可能となる。
【０００９】
また、請求項２では、請求項１記載のクリーニングボックスにおいて、前記ＩＣタグに記憶された管理情報にはクリーニングボックスが設置されている店舗を識別する店舗識別情報を含み、前記第１の制御装置は、設置されている店舗の店舗識別情報を記憶した記憶手段を備えるとともに、少なくともＩＣタグから読み取った店舗識別情報と前記記憶手段に記憶されている店舗識別情報が一致した場合に第１の錠を解錠することを特徴とするものを提案する。
【００１０】
本発明によれば、ＩＣタグに記憶されている店舗識別情報とクリーニングボックスの記憶手段に記憶されている店舗識別情報が一致している場合にのみ第１の錠が解錠される。したがって、各店舗では自店舗の識別情報を記憶したＩＣタグ付収納袋を利用者に配布することにより、当該利用者が誤って他の店舗に設置したクリーニングボックスに洗濯物を預け入れることを防止できる。これにより、洗濯物が行方不明になることを防止できるとともに、いわゆる利用者の囲い込みが可能となる。
【００１１】
また、請求項３では、請求項１又は２何れか１項記載のクリーニングボックスにおいて、洗濯物収納部に投入された収納袋のＩＣタグから非接触で管理情報を読み取る第２のＩＣタグリーダ装置と、所定の出力媒体に各種情報を記録して該出力媒体を利用者に提供する出力装置とを備え、前記第１の制御装置は、第２のＩＣタグリーダ装置でＩＣタグから読み取った管理情報の一部又は全部を前記出力媒体に記録して該出力媒体を利用者に提供することを特徴とするものを提案する。
【００１２】
本発明によれば、洗濯物収納部に収納袋が投入されると、該収納袋のＩＣタグに記憶されている管理情報が第２のＩＣタグリーダ装置から読み取り可能となる。そして、第１の制御装置は、読み取った管理情報の一部又は全部を出力装置から所定の出力媒体に記録して利用者に提供する。すなわち、この出力媒体を洗濯物の預かり票として用いることができる。
【００１３】
また、請求項４では、請求項３記載のクリーニングボックスにおいて、前記第１の制御装置は、現在日時を計時する計時手段と、計時手段で計時されている現在日時に基づき仕上がり予定日を算出する仕上予定日算出手段とを備えるとともに、前記出力媒体に仕上予定日を記録することを特徴とするものを提案する。
【００１４】
本発明によれば、洗濯物を預け入れた際に出力される出力媒体に、該洗濯物の仕上がり予定日が記録されるので、利用者にとって利便性の高いものとなる。
【００１５】
また、請求項５では、請求項３又は４何れか１項記載のクリーニングボックスにおいて、前記ＩＣタグに記憶された管理情報には収納袋を一意に識別する収納袋識別情報を含み、前記第１の制御装置は、少なくとも第２のＩＣタグリーダ装置でＩＣタグから読み取った収納袋識別情報を出力媒体に記録することを特徴とするものを提案する。
【００１６】
本発明によれば、洗濯物を預け入れた際に出力される出力媒体に、該洗濯物を収納した収納袋の識別情報が記録されるので、一人の利用者が複数の収納袋を用いる場合であっても預け入れた洗濯物を確実に特定することができる。
【００１７】
なお、請求項３乃至５の発明において、出力媒体としては種々のものを用いることができ、出力装置は出力媒体に応じたものとなる。例えば、出力媒体として紙を用いる場合には出力装置としてプリンタを用いればよく、出力媒体として磁気カードを用いる場合には出力装置として磁気カードライタ等を用いればよい。また、出力媒体への記録は、後述するように所定の読み取り装置で情報を読みとれるような形態で出力すると好適である。例えば、紙に印字する場合には、バーコード等の符号化シンボルを利用すると好適である。
【００１８】
このような形態として、請求項６では、請求項３乃至５何れか１項記載のクリーニングボックスにおいて、前記出力装置は前記出力媒体として紙を用いた印刷装置からなり、前記第１の制御装置は管理情報の一部又は全部をバーコードとして印刷することを特徴とするものを提案する。
【００１９】
また、請求項７では、請求項５記載のクリーニングボックスにおいて、洗濯済みの仕上品が収納された収納袋を収納する仕上品収納部と、仕上品収納部を開閉する第２の扉と、第２の扉を施錠する第２の錠と、仕上品収納部内に収納されている収納袋のＩＣタグから収納袋識別情報を読み取る第３のＩＣタグリーダ装置と、前記出力装置で出力した出力媒体から収納袋識別情報を読み取る読取装置と、前記読取装置で出力媒体から読み取った収納袋識別情報が前記第３のＩＣタグリーダ装置で読み取り可能な場合に前記第２の錠を解錠する第２の制御装置とを備えたことを特徴とするものを提案する。
【００２０】
本発明によれば、洗濯済みの仕上品が収納された収納袋が仕上品収納部内に収納されていると、第３のＩＣタグリーダ装置が当該収納袋の識別情報を読み取り可能となる。第２の制御装置は、洗濯物を預け入れた際に出力され且つ収納袋の識別情報が記録された出力媒体から収納袋の識別情報を読み取り装置が読み取ると、当該識別情報を有する収納袋が仕上品収納部内に収納されているかを判定し、収納されている場合には、仕上品収納部を開閉する第２の扉を開放可能に該第２の扉に付設した第２の錠を解錠する。これにより、利用者は預かり票として出力媒体を提示するだけで仕上品を受け取ることができる。
【００２１】
また、請求項８では、請求項５記載のクリーニングボックスにおいて、洗濯済みの仕上品が収納された収納袋を収納する仕上品収納部と、仕上品収納部に収納された収納袋を仕上品収納部から搬出する仕上品搬出装置と、仕上品収納部内に収納されている収納袋のＩＣタグから収納袋識別情報を読み取る第３のＩＣタグリーダ装置と、前記出力装置で出力した出力媒体から収納袋識別情報を読み取る読取装置と、前記読取装置で出力媒体から読み取った収納袋識別情報が前記第３のＩＣタグリーダ装置で読み取り可能な場合に該収納袋識別情報に対応する収納袋を搬出するよう仕上品搬出装置を制御する第３の制御装置とを備えたことを特徴とするものを提案する。
【００２２】
本発明によれば、洗濯済みの仕上品が収納された収納袋が仕上品収納部内に収納されていると、第３のＩＣタグリーダ装置が当該収納袋の識別情報を読み取り可能となる。第３の制御装置は、洗濯物を預け入れた際に出力され且つ収納袋の識別情報が記録された出力媒体から収納袋の識別情報を読み取り装置が読み取ると、当該識別情報を有する収納袋が仕上品収納部内に収納されているかを判定し、収納されている場合には、当該収納袋を仕上品収納部から搬出するよう仕上品搬出装置を制御する。これにより、利用者は預かり票として出力媒体を提示するだけで仕上品を受け取ることができる。
【００２３】
さらに、請求項９では、請求項７又は８何れか１項記載のクリーニングボックスにおいて、前記読取装置で読み取った収納袋識別情報とは異なる収納袋識別情報を有するＩＣタグの収納袋が仕上品収納部から取り出されると所定の警告を発する警告手段を備えたことを特徴とするものを提案する。
【００２４】
本発明によれば、誤った収納袋が仕上品収納部から取り出されると所定の警告が発せられるので洗濯物が他人の手に渡るなどの事態を未然に防止できる。
【発明の効果】
【００２５】
以上説明したように本発明によれば、利用者は会員カード等を携行することなく所定の収納袋に洗濯物を収納しておけば、洗濯物の預け入れが可能となる。また、洗濯物を預け入れた際に提供される出力媒体を用いて、仕上品の受け取りが可能となる。
【発明を実施するための最良の形態】
【００２６】
（第１の実施の形態）
本発明の一実施の形態に係るクリーニングボックスについて図面を参照して説明する。図１はクリーニングボックスの正面図、図２はＩＣタグに記録した管理情報の一例を説明する図、図３はクリーニングボックスの側断面図（図３（ａ）は図１のＡ線断面図、図３（ｂ）はＢ線断面図）である。
【００２７】
このクリーニングボックス１００は、コンビニエンスストアなどの店舗に設置して利用されるものであり、いわゆるクリーニングの取り次ぎ業務を支援する装置である。具体的には、図１に示すように、利用者の洗濯物を所定のバッグ１０に収納した状態で受け付けて保管するとともに、洗濯済みの仕上品を前記バッグ１０に収納した状態で保管しておき該バッグ１０を利用者に引き渡す。
【００２８】
バッグ１０は、取り次ぎ業務の事業者（店舗の事業者）が各利用者に配布する。このバッグ１０には所定の管理情報が記録されたＩＣタグ１５が付設している。ＩＣタグ１５は所定のリーダ装置やライタ装置との間で無線により非接触でデータ通信可能である。このＩＣタグ１５に記録されている利用者の管理情報の一例を図２に示す。この管理情報は、図２に例示するように、各店舗を識別する店舗番号と、利用者の会員番号と、一の利用者に複数のバッグ１０を配布する際に各バッグ１０を識別するための連番とからなる。管理情報は、利用者にバッグ１０を配布する際などに所定のライタ装置で記録しておく。
【００２９】
図１及び図３を参照してクリーニングボックス１００の詳細を説明する。クリーニングボックス１００は、洗濯物を収納する洗濯物収納部２００と、洗濯済みの仕上品を収納する仕上品収納部３００とを左右方向に併設した構造となっている。
【００３０】
洗濯物収納部２００の前面上部には洗濯物を投入する投入口２０１が形成されている。この投入口２０１には投入口扉２０２が付設されている。投入口２０１の下部には投入された洗濯物を保管する洗濯物収納室２０３が形成されている。この洗濯物収納室２０３は収納室扉２０４により開閉可能となっている。洗濯物収納室２０３と投入口２０１との間は箱状の部材からなる機械室２０５により仕切られている。機械室２０５は洗濯物収納部２００の前後方向略半分を占める大きさに形成されており、機械室２０５の後方空間は投入口２０１から投入された洗濯物が落下する通路となっている。機械室２０５の上面の前部から中部に亘っては前方に傾斜しており、上面の後部は逆に後方に傾斜している。
【００３１】
投入口扉２０２には電磁ロック錠を備えた投入口扉錠２１０が付設されている。また、収納室扉２０４には機械鍵により施錠・解錠する収納室扉錠２１１が付設されている。さらに、投入口２０１の近傍にはマイクロスイッチや光センサ等からなり投入口扉２０２の開閉を検知する投入口扉開閉検知センサ２１２が設けられている。
【００３２】
機械室２０５には、クリーニングボックス１００の前方近傍においてバッグ１０のＩＣタグ１５から管理情報を読み取る第１のＩＣタグリーダ２２０と、投入口２０１から洗濯物収納室２０３へと落下するバッグ１０のＩＣタグ１５から管理情報を読み取る第２のＩＣタグリーダ２２１と、利用者に対して洗濯物の預かり票５０を提供するプリンタ２２２と、預かり票５０に印字されているバーコードを読み取るバーコードリーダ２２３と、制御装置４００とが設けられている。
【００３３】
仕上品収納部３００の内側は仕上品を収納する仕上品収納室３０１が形成されており、該仕上品収納室３０１は仕上品扉３０２により開閉可能となっている。この仕上品扉３０２には電磁ロック錠を備えた仕上品扉錠３１０が付設されている。また、仕上品収納室３０１にはマイクロスイッチや光センサ等からなり仕上品扉３０２の開閉を検知する仕上品扉開閉検知センサ３１１が設けられている。さらに、仕上品収納室３０１には室内に保管されている各バッグ１０のＩＣタグ１５から管理情報を読み出す第３のＩＣタグリーダ３２０が設けられている。ここで、第３のＩＣタグリーダ３２０は仕上品収納室３０１に複数のバッグ１０が保管されている場合であっても各バッグのＩＣタグ１５からそれぞれ管理情報を読み出し可能である。
【００３４】
また、仕上品収納室３０１には、左右方向に懸架されバッグ１０を釣り下げ可能な仕上品支持棒３０３が、複数上下に並んで設けられている。
【００３５】
図４に本実施の形態に係るクリーニングボックスの制御ブロック図を示す。図４に示すように、制御装置４００は、洗濯物の受け付け制御を行う受付制御部４１０と、仕上品の引き渡し制御を行う引渡制御部４２０とに大別される。
【００３６】
受付制御部４１０は、設置店舗の店舗番号や店舗名の店舗情報を記憶した店舗情報記憶部４１１と、投入口扉錠２１０を制御することにより投入口扉２０２を解錠・施錠する投入口扉開閉制御部４１２と、洗濯物を受付した後に利用者に提供する預かり票５０を作成する預かり票作成部４１３と、現在日時を計時するタイマ４１４とを備えている。
【００３７】
引渡制御部４２０は、仕上品収納室３０１に収納されているバッグ１０のＩＣタグ１５に記憶されている管理情報のリストを記憶するバッグリスト記憶部４２１と、仕上品扉錠３１０を制御することにより仕上品扉３０２を解錠・施錠する仕上品扉開閉制御部４２２と、利用者に対して各種警告音等を発するためのスピーカ４２３とを備えている。ここで、バッグリスト記憶部４２１に記憶されているバッグリストは、業者が仕上品を仕上品収納室３０１に収納した際、及び、後述するように仕上品を引き渡した際に更新される。
【００３８】
次に、本実施の形態に係るクリーニングの動作について説明する。まず、利用者の洗濯物を受け付ける際の動作について図５のフローチャートを参照して説明する。洗濯物の受け付け動作は受付制御部４１０が制御する。
【００３９】
図５に示すように、洗濯物の受け付け動作は、利用者が洗濯物を収納したバッグ１０を第１のＩＣタグリーダ２２０に近付けた際に、該第１のＩＣタグリーダ２２０がバッグ１０を検出することにより開始する（ステップＳ１）。具体的には、第１のＩＣタグリーダ２２０が、バッグ１０に付設したＩＣタグ１５から管理情報を読み取り可能となると、受付制御部４１０の投入口扉開閉制御部４１２は受付動作を開始する。
【００４０】
投入口扉開閉制御部４１２は、ＩＣタグ１５から読み取った管理情報に含まれる店舗番号と、店舗情報記憶部４１１に含まれる店舗番号とを対比する（ステップＳ２）。両者が一致しない場合には当該バッグ１０は利用不可であるので、投入口扉開閉制御部４１２は処理を終了する。一方、店舗番号が一致する場合には、投入口扉錠２１０を解錠するよう制御することにより投入口扉２０２を開閉可能とする（ステップＳ３）。これにより、利用者は投入口扉２０２を開放して、洗濯物入りバッグ１０の投入が可能となる。
【００４１】
利用者が洗濯物入りバッグ１０を投入口２０１に投入すると、該バッグ１０は機械室２０５の後方通路を落下する。投入口扉開閉制御部４１２は、第２のＩＣタグリーダ２２１を用いて落下中のバッグ１０のＩＣタグ１５から管理情報を読み出す（ステップＳ４）。この処理は、投入口扉開閉検知センサ２１２が投入口扉２０２の閉鎖を検出するまで継続する（ステップＳ５）。すなわち、利用者は複数のバッグ１０を投入可能である。投入口扉開閉検知センサ２１２が投入口扉２０２の閉鎖を検出すると（ステップＳ５）、投入口扉開閉制御部４１２は、投入口扉錠２１０を施錠するよう制御する（ステップＳ６）。
【００４２】
次に、預かり票作成部４１３は、洗濯物の仕上予定日を算出する（ステップＳ７）。仕上予定日の算出方法について図６のフローチャートを参照して算出する。まず、タイマ４１４で計時されている現在時刻が予め設定されている所定の集荷時刻（例えばＡＭ９時）より前であるか否かを判定し（ステップＳ７ａ）、現在時刻が集荷時刻より前である場合には、タイマ４１４で計時されている現在の日（本日）に、予め設定されている所定の仕上日数（例えば１日）を加えた日を仕上がり予定日とする（ステップＳ７ｂ）。一方、現在時刻が集荷時刻以降である場合には、タイマ４１４で計時されている現在の日（本日）に前記仕上日数を加えた日の翌日を仕上がり予定日とする（ステップＳ７ｃ）。
【００４３】
次に、預かり票作成部４１３は、プリンタ２２２を用いて預かり票５０を印字して利用者に提供する（ステップＳ８）。図７に預かり票５０の一例を示す。預かり票５０は、図７に示すように、店舗番号、店舗名、会員番号、受付番号、受付日時、仕上日時、受付バッグ数、バーコードを所定の用紙に印字したものである。ここで、会員番号は第２のＩＣタグリーダ２２１で読みとった管理情報に含まれるものである。また、受付番号は、所定の記憶手段（図示省略）に記憶され、洗濯物の受け付けを行うたびに増加させる連番である。また、受付日時は、タイマ４１４で計時されている現在日時である。また、仕上日時は、前記ステップＳ７で算出した仕上予定日に所定の納入時刻（例えばＰＭ３時）を付加したものである。預かり票作成部４１３は、この受付番号は所定期間（例えば１日）毎に０にリセットする。また、バーコードは、第２のＩＣタグリーダ２２１で読みとった管理情報の全部又は一部（本実施の形態では全部）を符号化したものである。預かり票作成部４１３は、投入されたバッグ１０が複数の場合には、各バッグ１０のＩＣタグ１５に記憶されている管理情報をそれぞれ印字する。バーコードとしては２次元バーコード等を含め種々の規格のものを用いることができる。
【００４４】
次に、利用者に洗濯物を引き渡す際の動作について図８のフローチャートを参照して説明する。洗濯物の引き渡し動作は引渡制御部４２０が制御する。
【００４５】
図８に示すように、洗濯物の引き渡し動作は、利用者が預かり票５０をバーコードリーダ２２３に近付けた際に、該バーコードリーダ２２３が預かり票５０を検出することにより開始する（ステップＳ１１）。具体的には、バーコードリーダ２２３が、預かり票５０に印字されたバーコードから管理情報を読み取り可能となると、引渡制御部４２０の仕上品扉開閉制御部４２２は受付動作を開始する。
【００４６】
仕上品扉開閉制御部４２２は、バーコードリーダ２２３が読み取った管理情報がバッグリスト記憶部４２１に登録されているかを判定する（ステップＳ１２）。前述したようにバッグリスト記憶部４２１には、業者が仕上品を仕上品収納室３０１に収納した際及び仕上品を引き渡した際に、仕上品収納室３０１に収納されているバッグ１０のＩＣタグ１５に記憶されている管理情報のリストが登録されている。したがって、バーコードリーダ２２３が読み取った管理情報がバッグリスト記憶部４２１に登録されていない場合には、仕上品がまだ仕上品収納室３０１に収納されていないので、仕上品扉開閉制御部４２２は処理を終了する。一方、登録されている場合には、仕上品扉錠３１０を解錠するよう制御することにより仕上品扉３０２を開閉可能とする（ステップＳ１３）。これにより、利用者は仕上品扉３０２を開放して、洗濯物入りバッグ１０を取り出し可能となる。
【００４７】
仕上品扉開閉検知センサ３１１が仕上品扉３０２の閉鎖を検出すると（ステップＳ１４）、仕上品扉開閉制御部４２２は、仕上品扉錠３１０を施錠するよう制御する（ステップＳ１５）。次いで、仕上品扉開閉制御部４２２は、第３のＩＣタグリーダ３２０を用いて仕上品収納室３０１内にある各バッグ１０のＩＣタグ１５から管理情報を読み取り（ステップＳ１６）、読み取った管理情報のリストと、バッグリスト記憶部４２１に記憶されているリストとを対比する（ステップＳ１７）。そして、両者が一致する場合には、仕上品扉開閉制御部４２２は処理を終了する。これは、仕上品扉３０２を開放したものの利用者がバッグ１０を取り出さなかった場合に該当する。一方、読み取った管理情報のリストが、バッグリスト記憶部４２１に記憶されているリストからバーコードリーダ２２３で読み取った管理情報のみを除外したものと一致する場合には（ステップＳ１８）、読み取った管理情報のリストでバッグリスト記憶部４２１を更新する（ステップＳ１９）。一方、一致しない場合には、利用者が間違ったバッグ１０を取り出したことになるので、仕上品扉開閉制御部４２２はスピーカ４２３から所定の警告音を発して処理を停止する（ステップＳ２０）。
【００４８】
以上のような処理により、利用者は洗濯物を所定のバッグ１０に収納し、このバッグ１０を第１のＩＣタグリーダ２２０にかざせば、会員カード等を携行することなく洗濯物をクリーニングボックス１００に預け入れることができる。また、ＩＣタグ１５に記憶する管理情報には一の会員番号に対して付せられた連番が含まれているので、利用者に対して複数のバッグ１０を配布可能であるとともに、複数のバッグ１０を同時に預け入れることができる。
【００４９】
さらに、利用者は、預け入れ時にクリーニングボックス１００から出力された預かり票５０をバーコードリーダ２２３に読み取らせれば、仕上品を受け取ることができる。このとき、利用者が間違ったバッグ１０を取り出した場合には警告音が発せられるのでセキュリティの観点から好適である。
【００５０】
（第２の実施の形態）
本発明の第２の実施の形態に係るクリーニングボックスについて図面を参照して説明する。本実施の形態に係るクリーニングボックスが第１の実施の形態と異なる点は仕上品収納部の構成にある。
【００５１】
具体的には、図９に示すように、仕上品収納室３０１を複数設けるとともに、各仕上品収納室３０１に対応して仕上品扉３０２、仕上品扉錠３１０、仕上品扉開閉検知センサ３１１、第３のＩＣタグリーダ３２０を複数設けた。そして、バッグリスト記憶部４２１は、収納しているバッグ１０のＩＣタグ１５に記憶されている管理情報のリストを、各仕上品収納室３０１毎に記憶する。また、仕上品扉開閉制御部４２２は、バーコードリーダ２２３で読み取った管理情報がバッグリスト記憶部４２１に登録されている場合には、当該バッグ１０が収納されている仕上品収納室３０１に対応する仕上品扉錠３１０のみを解錠制御する。他の構成・動作等については第１の実施の形態と同様である。
【００５２】
本実施の形態に係るクリーニングボックスによれば、仕上品収納室３０１が複数の部屋に区画されており、しかも必要な仕上品扉３０２のみを開放できるので、利用者が誤った仕上品を取り出す機会を減少させることができる。特に、１つの仕上品収納室３０１には一人の利用者のバッグ１０しか収納しない、さらには１つの仕上品収納室３０１には１つのバッグ１０しか収納しないという運用形態を採用すれば、仕上品を確実に本人に引き渡すことができる。他の作用・効果は第１の実施の形態と同様である。
【００５３】
（第３の実施の形態）
本発明の第３の実施の形態に係るクリーニングボックスについて図面を参照して説明する。本実施の形態に係るクリーニングボックスが第１の実施の形態と異なる点は仕上品収納部の構成にある。
【００５４】
具体的には、図１０に示すように、１つのバッグ１０のみを収納する仕上品収納室３０１を複数設けるとともに、各仕上品収納室３０１にはバッグ１０を搬出する仕上品搬出装置３３０と、第３のＩＣタグリーダ３２０を複数設けた。そして、バッグリスト記憶部４２１は、各仕上品収納室３０１について、収納しているバッグ１０のＩＣタグ１５に記憶されている管理情報を記憶する。また、仕上品扉開閉制御部４２２は、バーコードリーダ２２３で読み取った管理情報がバッグリスト記憶部４２１に登録されている場合には、当該バッグ１０が収納されている仕上品収納室３０１に対応する仕上品搬出装置３３０を制御して、当該バッグ１０を搬出して利用者に引き渡す。他の構成・動作等については第１の実施の形態と同様である。
【００５５】
本実施の形態に係るクリーニングボックスによれば、利用者が預かり票５０をバーコードリーダに読み取らせることにより、当該預かり票５０に対応した仕上品が仕上品搬出装置３３０により搬出される。したがって、利用者に誤ったバッグ１０を受け渡すことを未然に防止できる。他の作用・効果は第１の実施の形態と同様である。
【００５６】
以上本発明の実施の形態について詳述したが本発明はこれに限定されるものではない。例えば、上記実施の形態では、店舗番号・会員番号・連番の組を管理情報としてＩＣタグ１５に記録していたが、バッグ１０及び利用者を一意に識別可能となれば他の番号形態を採用してもよい。
【００５７】
また、上記実施の形態では、該紙媒体である預かり票５０に管理情報をバーコード形式で印字するとともに、預かり票５０に印字した管理情報を読み取るためにバーコードリーダ２３２を設けているが、管理情報の記録媒体・記録形式・読み取り形式は他の手段を用いてもよい。例えば、管理情報を文字列で紙媒体に記録するとともに読み取り装置としてＯＣＲ装置を用いてもよい。また例えば、裏面等に磁気記憶領域を有する紙媒体を用い、利用者向けに必要な情報（仕上日時等）を表面に印字するとともに磁気記憶領域に管理情報の一部又は全部を記録する。そして、管理情報の読み取り装置として磁気情報読み取り装置を用いてもよい。その他、種々の記録媒体を用いることができる。
【００５８】
さらに、上記実施の形態に係るクリーニングボックスでは、洗濯物収納部２００と仕上品収納部３００とを一体に形成しているが、仕上品収納部３００を有せず専ら洗濯物の受け付けだけをするものであってもよく、また、洗濯物収納部２００と仕上品収納部３００とをそれぞれ別々の筐体として分離独立して設けてもよい。
【図面の簡単な説明】
【００５９】
【図１】第１の実施の形態に係るクリーニングボックスの正面図
【図２】ＩＣタグに記憶する管理情報のデータ構造の一例を説明する図
【図３】クリーニングボックスの側断面図
【図４】クリーニングボックスの制御系のブロック図
【図５】洗濯物受け付け動作を説明するフローチャート
【図６】仕上品予定日の算出アルゴリズムを説明するフローチャート
【図７】預かり票の一例
【図８】仕上品受け渡し動作を説明するフローチャート
【図９】第２の実施の形態に係るクリーニングボックスの制御系のブロック図
【図１０】第３の実施の形態に係るクリーニングボックスの制御系のブロック図
【符号の説明】
【００６０】
１０…バッグ、１５…ＩＣタグ、５０…預かり票、１００…クリーニングボックス、２００…洗濯物収納部、２０１…投入口、２０２…投入口扉、２０３…洗濯物収納室、２１０…投入口扉錠、２１２…投入口扉開閉検知センサ、２２０…第１のＩＣタグリーダ、２２１…第２のＩＣタグリーダ、２２２…プリンタ、２２３…バーコードリーダ、３００…仕上品収納部、３０１…仕上品収納室、３０２…仕上品扉、３１０…仕上品扉錠、３１１…仕上品扉開閉検知センサ、３２０…第３のＩＣタグリーダ、４００…制御装置、４１０…受付制御部、４２０…引渡制御部
【図１】
2006212145.tif 000003
【図２】
2006212145.tif 000004
【図３】
2006212145.tif 000005
【図４】
2006212145.tif 000006
【図５】
2006212145.tif 000007
【図６】
2006212145.tif 000008
【図７】
2006212145.tif 000009
【図８】
2006212145.tif 000010
【図９】
2006212145.tif 000011
【図１０】
2006212145.tif 000012